(57)【要約】【課題】入賞口近傍で発生する振動を確実に検知することができ、且つ不正行為の発生を未然に防止することができる不正検出機能を備えた遊技機の役物を提供する。【解決手段】周方向に沿って並置された入賞口およびはずれ口を有する振り分け部材を含む遊技機の役物であり、振り分け部材はその中央部に貫通孔を有している。貫通孔内において振り分け部材に対して揺動自在に吊り下げられた検知球体を備え、貫通孔の内壁面及び検知球体が導電性を有している。検知球体が外部より加えられた振動に伴って揺動すると、貫通孔の内壁面と接触し、かかる接触による通電に基づいて警報音が発せられる。【選択図】図２
2009189699.tif 000002
【特許請求の範囲】
【請求項１】
周方向に沿って並置された入賞口およびはずれ口を有する振り分け部材を含む遊技機の役物であって、
前記振り分け部材はその中央部に貫通孔を有し、
前記振り分け部材に対して揺動自在に前記貫通孔内において吊り下げられた検知球体を有し、
前記貫通孔の内壁面及び検知球体が導電性を有していることを特徴とする役物。
【請求項２】
前記検知球体と前記振り分け部材とが共通の吊り下げ機構によって吊り下げられていることを特徴とする請求項１に記載の役物。
【請求項３】
前記振り分け部材の主面は水平に維持されていることを特徴とする請求項２に記載の役物
【請求項４】
前記検知球体は導電性ワイヤーによって吊り下げられていることを特徴とする請求項２乃至３のいずれか１に記載の役物。
【請求項５】
前記検知球体は磁性を有し、前記振り分け部材は非磁性を有することを特徴とする請求項１乃至４のいずれか１に記載の役物。
【請求項６】
請求項１乃至５のいずれか１に記載の役物を備えた遊技機であって、
前記検知球体と前記貫通孔の内壁面との接触により形成される通電経路と、
前記通電経路における通電を検知して検知出力を生成する通電検知手段と、
前記検知出力に応じて警報を発する報知手段と、を含むことを特徴とする遊技機。
【発明の詳細な説明】
【技術分野】
【０００１】
本発明はパチンコ機等の遊技機に関し、特に遊技機に振動を加える不正行為を検出し、これを報知する振動検知に関する。
【背景技術】
【０００２】
パチンコ機等の遊技機が設置されている遊技場において、遊技機に何らかの細工を施し、出玉を不正に得ようとする不正行為が遊技者によって行われる場合がある。例えば、遊技者がパチンコ機を叩く等してパチンコ機に衝撃を加えることによって、遊技球の進路に変化を与え、遊技球を入賞口に導くという不正が行われている。かかる不正行為に対しては、遊技機に加速度センサ等の振動センサを設け、パチンコ機に衝撃が加えられたときには、振動センサがその衝撃によって生じた振動を感知し、警報音や発光等によって不正行為を報知するようにしたものが知られている。
【特許文献１】特開２００５−１３７３９４号公報
【特許文献２】実開平７−６７８５号公報
【特許文献３】特開２００７−１８５２８５号公報
【発明の開示】
【発明が解決しようとする課題】
【０００３】
従来の振動センサは、例えば特許文献１に示されているように、遊技球を貯留しておくための上皿の内部などに設けられている。しかしながら、実際の不正の手口としては、入賞口の近傍を流下あるいは転動する遊技球を入賞口に導こうとするために、不正行為者は、遊技球が入賞口に近づいたときに入賞口近傍の前面ガラスを叩いて振動を与えるといったケースが多い。従って、振動センサが入賞口から離れた位置に設置されていると、入賞口近傍で発生する振動を的確に検知することが困難となる。その一方で、振動センサの設置位置が適切でないと不正目的ではない偶発的な振動までも検知するといった誤検出が多発してしまうおそれがある。さらに、従来の振動センサは通常遊技者からは視認されない場所に設置されているために、遊技者はその存在を認識することができず、従って不正行為の発生を検出することが可能であっても、これを未然に防止する効果は期待できない。
【０００４】
本発明は上記した点に鑑みてなされたものであり、入賞口近傍で発生する振動を確実に検知することができ、且つ不正行為の発生を未然に防止することができる不正検出機能を備えた遊技機の役物を提供することを目的とする。
【課題を解決するための手段】
【０００５】
本発明の遊技機の役物は、周方向に沿って並置された入賞口およびはずれ口を有する振り分け部材を含む遊技機の役物であって、前記振り分け部材はその中央部に貫通孔を有し、前記振り分け部材に対して揺動自在に前記貫通孔内において吊り下げられた検知球体を有し、前記貫通孔の内壁面及び検知球体が導電性を有していることを特徴としている。
【発明を実施するための最良の形態】
【０００６】
以下、本発明の実施例について添付図面を参照しつつ説明する。尚、以下に示す図において、互いに実質的に同一又は等価な構成要素及び部分には同一の参照符を付している。
【０００７】
図１は本発明の実施例であるパチンコ機１０の概略の正面図である。パチンコ機１０は、本体基部となる本体枠１１と、本体枠１１の内部に配置された遊技盤１２と、遊技盤１２の前方に設けられていて本体枠１１に対して開閉自在な窓部を有する前面枠１３と、を有する。遊技盤１２は、窓部を介して視認可能となっており、その盤面上にガイドレール１４で囲まれた遊技領域１２aを備えており、かかる遊技領域１２aに向けて遊技球が打ち出される。
【０００８】
前面枠１３の下方には、下扉枠１５が設けられている。下扉枠１５には、遊技者が保有する遊技球を収容する受け皿１６が設けられ且つ遊技球の発射の制御及び発射強度を制御するための操作ハンドル１７が設けられている。操作ハンドル１７は、パチンコ機１０の右側部に配置されておりかつ遊技者が握りやすいように下扉枠１５の表面高さから突出している。操作ハンドル１７には、人体が触れることに応答して接触信号を生成する接触検知センサ（図示せず）が設けられている。当該接触検知センサから出力される接触信号は、パチンコ機１０の背面側に設けられた制御装置（図示せず）に入力される。また、操作ハンドル１７には、所定の角度範囲内で回動自在な打出調整部１８が設けられている。打出調整部１８は、パチンコ機１０の背面側に設けられた遊技球の発射装置（図示せず）を駆動せしめる操作スイッチになっており、打出調整部１８を基準位置から時計回り方向に回動せしめることによって該発射装置が作動するようになっている。打出調整部１８は、バネ等の弾性体により反時計回り方向への付勢力が付与されており、待機状態においては基準位置に位置している。基準位置とは打ち出し調整部１８の回動量がゼロである位置のことであり、かかる基準位置に打出調整部１８が位置している場合には、遊技球は打ち出されないようになっている。
【０００９】
遊技盤１２には、遊技球の流下方向を変化せしめる多数の遊技釘１９が植設され、更には、風車２０等の障害物が設けられている。また、遊技盤１２の最下部には入賞しなかった遊技球を回収するアウト口（図示せず）が設けられている。
【００１０】
遊技盤１２の略中央には、開口が前面枠の窓部に臨む凹状空間２１が形成されており、この凹状空間２１内部にその開口部から露呈するように設けられた本発明の不正検知機能を備えた役物１と、凹状空間２１内部への遊技球の侵入許否を振り分ける可動羽根２２とからなる入賞装置２が設けられている。役物１は、遊技球を大当たり入賞口又ははずれ口のいずれかに振り分ける振り分け機構を備えている。
【００１１】
遊技盤１２の下方には、始動入賞口２４が設けられており、その内部には、通過センサ（図示せず）が設けられている。遊技球が始動入賞口２４に入賞すると、通過センサによって入賞したことが検知され、所定数の賞球がパチンコ機１０から払い出されるとともに可動羽根２２が所定回数の開閉動作を行う。遊技球は、可動羽根２２の開放期間にのみ入賞装置２内部へ侵入することが可能となる。尚、可動羽根２２を通過して入賞装置２内部に侵入した遊技球は、図示しない通過センサによって検知され、通過が検知されると所定数の賞球が払い出されるようになっている。可動羽根２２の開放期間中に入賞装置２内部に侵入した遊技球は、役物１が備える振り分け機構によって大当たり入賞口又ははずれ口のいずれかに振り分けられる。遊技球が大当たり入賞口に入賞すると、可動羽根２２が所定期間若しくは所定回数に亘って断続的に開閉を繰り返す等の所定の大当たり遊技状態に移行する。遊技者は大当たり遊技状態となっている期間内において多数の賞球を獲得する機会が与えられる。また、パチンコ機１０には遊技の進行に応じて効果音や音楽を出力するスピーカ２５や多数の電飾装置（図示せず）が設けられており、音や光によって遊技の演出効果を高めている。また、後述する本発明の役物１が備える不正検知部が不正行為を検知した場合には、スピーカ２５からは警報音が発せられ、不正行為があったことを報知するようになっている。
【００１２】
図２（ａ）〜（ｃ）に本発明の振動検知機能を備えた役物１の構成を示す。図２（ａ）は斜視図、図２（ｂ）は上面図、図２（ｃ）は図２（ｂ）における２Ｃ−２Ｃ線に沿った断面図を示している。本発明の不正検知機能を備えた役物１は、１つの大当たり入賞口４１および複数のはずれ口４２がその周方向に沿って形成され、且つその中央に貫通孔４３を有する円盤状の振り分け部材３１と、大当たり入賞口４１又ははずれ口４２に入球した遊技球を回収する収容部材３２と、を含んでいる。可動羽根２２の開放期間中に入賞装置２内部に侵入した遊技球は、振り分け部材３１に形成された大当たり入賞口４１又ははずれ口４２のいずれかに入球する。つまり振り分け部材３１は入賞装置２内に侵入した遊技球を大当たり遊技が開始される大当たりルート又ははずれルートのいずれかに振り分ける機能を有する。振り分け部材３１の上面は図２（ｃ）に示すように大当たり入賞口４１およびはずれ口４２を底部に凹んだ略円形の樋状となっており、また、貫通孔４３の外周に沿って、筒状のストッパー４４が振り分け部材３１の表面高さから突出するように設けられている。これにより、遊技球は、振り分け部材３１の外側に落下したり、貫通孔４３に落下しないようになっている。大当たり入賞口４１およびはずれ口４２に入球した遊技球はその後、収容部材３２内部に導かれ、その底面に形成された排出口４５より排出され、パチンコ機に回収される。尚、排出口４５より排出された遊技球は図示しない通過センサによって検知され、可動羽根２２の開放期間中に入賞装置２を通過した遊技球の数と、排出口４５を通過した遊技球の数が一致しない場合は、入賞装置２内部で球詰まり等何らかのトラブルが発生したものと判断し、可動羽根２２の開放動作を禁止する制御が行われる。
【００１３】
図２（ｃ）に示すように収容部材３２内の大当たり入賞口４１の下流には、遊技球の通過検知センサ９０が設けられている。通過センサ９０の検知出力によって、遊技球が大当たり入賞口４１に入賞したことが検知されると、所定の態様の大当たり遊技が開始される。大当たり遊技期間中においては、例えば可動羽根２２が所定ラウンド終了まで開閉動作を繰り返し、多数の遊技球が入賞装置２内部に取り込まれることにより、遊技者は、多数の賞球を獲得することができるようになっている。遊技者は、通常の遊技状態にあるときは大当たり入賞口４１への入賞を目指してプレイすることになる。従って、不正行為者は遊技球を大当たり入賞口４１に導くべく、大当たり入賞口４１近傍の前面ガラスを叩く等して振動を発生させることが想定され、大当たり入賞口４１の近傍で発生する振動を効果的に検出する必要がある。
【００１４】
役物１は、かかる点を考慮して大当たり入賞口４１の直近に振動検知部が設けられている。以下、本発明に係る振動検知部の構成について説明する。検知球体５０は、役物１の不正検知部を構成するものであり、導電性および磁性を併せ持つ例えば鉄等からなり、略球体を呈している。検知球体５０は、導電性ワイヤー６１によって振り分け部材３１の中央に設けられた貫通孔４３内において揺動自在に吊り下げられている。すなわち、検知球体５０は、貫通孔４３の開口面と交差する位置で静止するように設けられている。導電性ワイヤー６１は導電性材料からなり、検知球体５０に機械的および電気的に接続している。導電性ワイヤー６１は、例えば凹上空間２１内の天井壁に固定され、検知球体５０を上方から鉛直方向に垂下せしめている。貫通孔４３の内壁面には、これを囲むように導電性の電極８０が設けられている。すなわち、検知球体５０は、電極８０との間に僅かな空間を隔てた状態で垂下している。かかる構成において、パチンコ機に対して外部より振動が加えられると、検知球体５０は振り分け部材３１とは独立に揺動し、検知球体５０と電極８０とが接触する際の通電により振動が検知されようになっている。
【００１５】
図３は、役物１の不正検知部と、不正検知があったときにこれを報知する手段を含む機能ブロック図である。導電性ワイヤー６１は、その一端が検知球体５０に接続され、他端が電源９０のマイナス端子に接続される。検知信号生成部１００の正側入力端子は、電源９０のプラス端子に接続される。検知信号生成部１００の負側入力端子には電極８０が接続される。かかる構成において、外部から加えられた振動によって検知球体５０が揺動し、電極８０と接触すると、電源９０のマイナス端子の電位が、導電性ワイヤー６１、検知球体５０、電極８０を経由して検知信号生成部１００の負側入力端子に印加される。検知信号生成部１００は、正側入力端子と負側入力端子との間に電位差を検出すると、所定の検知出力信号を生成し、これを音声信号生成部１１０に供給する。音声信号生成部１０１は、検知出力信号を受信すると、所定の音声信号を生成し、スピーカ２５より所定の警報音を発生させ、不正行為を報知する。
【００１６】
このように、役物１は、検知球体５０および電極８０を含む振動検知部を備え、外部より加えられる振動をこれに伴って揺動する検知球体５０の揺動動作を利用して検知するようになっている。検知球体５０は、大当たり入賞口４１の近傍に設けられているので、大当たり入賞口４１の近傍で発生する振動を的確に検知することが可能であり、従来の振動センサを備えた遊技機と比較して検出精度の向上および誤検出の低減効果が期待できる。また、役物１は、不正検知部が遊技者から視認できるように構成されており、不正対策がなされていることが遊技者に明白に理解されるので、不正行為を未然に防止する効果も期待できる。さらに、検知球体５０は、磁性を有しているので、外部から振動を加えるといった不正行為の他、磁石を使用して遊技球を外部から誘導しようとする不正行為に対しても効果が期待できる。すなわち、不正行為者が外部から磁石を使用して大当たり入賞口に遊技球を導こうとすると、その磁力によって検知球体５０は、磁石の方向に引き寄せられる。すると、検知球体５０の吊り下げ位置が変位するので、検知球体５０は電極８０と接触し、上記振動検知の場合と同様、警報音がスピーカより発せられる。この場合においても、磁気を検知する部分すなわち、検知球体５０は、大当たり入賞口４１の近傍に設けられているので、大当たり入賞口４１の近傍において使用されることの多い磁石を使用した不正行為を効果的に検知することが可能であり、従来の磁気センサを備えた遊技機と比較して検出精度の向上が期待できる。このように、本発明の役物は、役物自体が振動検知機能および磁気検知機能を有しているので、振動センサや、磁気センサを別途設ける必要がない。
【００１７】
尚、導電性ワイヤー６１は、検知球体５０を上方より吊り下げるとともに検知信号生成部１００に対する入力信号の供給経路としても機能するので導電性ワイヤー６１は、検知球体５０が自在に揺動し得るようにある程度の柔軟性が必要とされ、且つ導電性を有していることが必要とされる。導電性ワイヤー６１は例えば、比較的径の小さい銅線等によって構成され、その周囲は絶縁材料で被覆されていてもよい。また、検知球体５０は、電極８０と接触した際に通電経路を構成でき、また磁石に対して一定の引力が働けばよいので、少なくとも表層部分が導電性および磁性を有していればよい。
【００１８】
上記したような構造の役物においては、遊技盤１２の設置角度の傾きが問題となる。すなわち、検知球体５０は導電性ワイヤー６１により吊り下げられているために垂下する方向は、遊技盤１２の設置角度にかかわらず鉛直方向に保たれる。一方、振り分け部材３１および収容部材３２が遊技盤１２に対して固定されていると、遊技盤１２の設置角度の傾きに伴って、これらも傾くため図４に示すように、検知球体５０と振り分け部材の相対位置がずれ、静止状態において検知球体５０と電極８０とが接触してしまうといった状態が生じ得る。このような状態となると、もはや振動検知センサや磁気検知センサとしては機能しないことはいうまでもない。遊技盤の設置角度をばらつきなく一定とすることは事実上困難である。かかる点に鑑みて、本発明の役物においては振り分け部材３１および収容部材３２は、遊技盤１２とは分離され、遊技盤１２に対して検知球体５０と共通の吊り下げ機構によって上方より吊り下げられている。振り分け部材３１および収容部材３２は、例えば外周の３箇所において接続されたワイヤー６２によって上方から吊り下げられている。ワイヤー６２は、ベアリング７０によって、検知球体を吊り下げるためのワイヤー６１と共に束ねられ、これらの各ワイヤーは、例えば凹状空間２１の天井壁に固定される。
【００１９】
振り分け部材３１の上面はこれら３本のワイヤー６２によってバランスが保たれ、水平が維持されている。このように、振り分け部材３１および収容部材３２が遊技盤１２に対して分離され、これらも検知球体５０と共通の吊り下げ機構によって宙吊りとなることにより、遊技盤１２の設置角度によらず、常に鉛直方向に垂下することとなり、静止状態において検知球体５０との相対位置は一定に保たれる。従って、遊技盤１２の設置角度に傾きが生じた場合でも、検知球体５０と電極８０とが静止状態において接触してしまうといった問題を解消することができる。尚、振り分け部材３１に遊技球が衝突した際の衝撃によって、振り分け部材３１自体が検知球体５０とは独立して揺動し、振動検知が作動してしまうことが懸念されるが、振り分け部材３１およびこれと一体に設けられる収容部材３２の重量を遊技球と比較して十分に重くしておくことで、これを回避することが可能である。
【００２０】
図５は、検知球体５０と振り分け部材３１および収容部材３２とを揺動自在に吊り下げるための吊り下げ機構の他の構造例であり、（ａ）は斜視図、（ｂ）は図５（ａ）における５ｂ−５ｂ線に沿った断面図を示している。支持部２００は例えば凹状空間２１内部の天井壁に固定され、アーム部２０１以下の構造体を支持する。アーム部２０１は、支持部２００に軸支され、軸部２０２を中心に支持部２００に対して揺動自在となっている。アーム部２０１は、振り分け部材３１および収容部材３２を支持するための２本の吊り下げアーム２０１ａと、これらを連結する連結部２０１ｂとを有し、コの字形状を呈している。振り分け部材３１および収容部材３２は、２本の吊り下げアームアーム２０１ａに軸支され、軸部２０３を中心にアーム部２０１に対して揺動自在となっている。軸部２０２における回転軸と、軸部２０３における回転軸とは互いに直交している。検知球体５０は、連結部２０１ｂの中央付近から導電性ワイヤー６１によって吊り下げられる。検知球体５０は、貫通孔４３の開口面と交差する位置において静止するように垂下している。吊り下げ機構がかかる構造を有することにより、先に示した構造のものと同様の効果を得ることができる。すなわち、遊技盤１２の図中左右方向の傾きに対しては、アーム部２０１が支持部２００に対して軸部２０２を中心に揺動自在となっているので、振り分け部材３１の上面は水平を保てるようになっており、常に鉛直方向に垂下する検知球体５０との相対位置は一定に保たれる。また、遊技盤１２の図中前後方向の傾きに対しては、振り分け部材３１および収容部材３２がアーム部２０１に対して軸部２０３を中心に揺動自在となっているので、振り分け部材３１の上面は水平を保てるようになっており、常に鉛直方向に垂下する検知球体５０との相対位置は一定に保たれる。つまり、吊り下げ機構を図５に示す如き構造とすることによっても、遊技盤１２の設置角度に傾きが生じた場合でも、検知球体５０と電極８０との相対位置は維持されるので、遊技盤１２の設置角度にかかわらず、役物１が備える不正検知機能を常に有効に発揮させることが可能となる。
【００２１】
図６に図２に示した構造を有する役物１の変形例を示す。本実施例では、図６に示すように、凹状空間２１内部の天井壁２１ａから下方に向けて突出している支持部材６０を天井壁２１ａに固定して設け、検知球体５０を支持部材６０の端部より吊り下げることにより、導電性ワイヤー６１の長さを比較的短くする。一方、振り分け部材３１および収容部材３２は、天井壁２１ａから吊り下げることにより、ワイヤー６２の長さを導電性ワイヤー６１と比較して十分に長くする。このように、導電性ワイヤー６１の長さとワイヤー６２の長さを異ならせることにより以下の効果を得ることができる。すなわち、外部から加えられる振動に対しては、検知球体５０のみを振動させ、振り分け部材３１および収容部材３２は静止させておく必要がある。従って、検知球体５０と振り分け部材３１および収容部材３２とが同調して揺動しないようにそれぞれの固有振動数を異ならせておくことが望ましい。具体的には検知球体５０を吊り下げる導電性ワイヤー６１の長さと、振り分け部材３１および収容部材３２を吊り下げるワイヤー６２の長さを異ならせることにより、それぞれの固有振動数を異ならせることができる。パチンコ機を叩く等、外部より衝撃を与えることによって発生する振動の周波数は比較的高いものと考えられる。従って、検知球体５０の固有振動数をこれに合わせて導電性ワイヤー６１の長さを比較的短くしておくことにより、不正行為による振動が発生した場合には、共振現象により検知球体５０の揺動振幅が大きくなり、効果的に振動を検知することが可能となる。一方、振り分け部材３１および収容部材３２を吊り下げるワイヤー６２の長さを十分に長くしておくことにより、振り分け部材３１および収容部材３２の固有振動数が不正行為によって発生する振動の振動数と大きくかけ離れることとなり、パチンコ機を叩く等の不正行為によって発生する振動に対しては殆ど反応せず、静止状態が保たれる。従って、外部から加えられる振動に対しては、検知球体５０のみが振動し、振り分け部材３１および収容部材３２は、静止状態が保たれるのでこれらが同調して揺動することはなく、的確な振動検知を行うことが可能となる。
【００２２】
以上の説明から明らかなように、本発明の遊技機の役物によれば、役物自体に不正検知部を備えており、これが入賞口近傍に設けられているので、入賞口近傍において発生する振動を効果的に検知することができる。また、不正検知部は振動センサとして機能するのみならず、磁気センサとしても機能するので、これらのセンサを別途設ける必要がなく、遊技機全体のコスト低減に寄与することができる。また、不正検知部は遊技者から視認でき、不正防止対策が行われていることが遊技者に明白に理解されるので、不正行為を未然に防止する効果が期待できる。更に、本発明の役物においては、検知球体が振り分け部材に設けられた貫通孔内部において吊り下げられている構成となっており、貫通孔内壁面に設けられた電極と検知球体との接触による通電を利用して振動を検知するようになっている。このため、振り分け部材も同様に吊り下げ機構によって吊り下げることにより揺動可能とした。このように、検知球体と振り分け部材の双方を吊り下げ機構によって吊り下げることにより、遊技盤の設置角度の傾きによらず検知球体と電極との相対位置を一定に保ち、不正検知機能を常に有効とすることができる。
【図面の簡単な説明】
【００２３】
【図１】本発明の実施例である役物を備えたパチンコ機の正面図である。
【図２】（ａ）は、本発明の実施例である役物の斜視図、（ｂ）は平面図、（ｃ）は図２（ｂ）における２Ｃ−２Ｃ線に沿った断面図である。
【図３】本発明の実施例である不正報知手段の構成を示すブロック図である。
【図４】振り分け部材が遊技盤に固定されていた場合であって、遊技盤の設置角度に傾きが生じた場合を想定した断面図である。
【図５】本発明の役物の他の構造例であり、（ａ）は斜視図、（ｂ）は図５（ａ）における５ｂ−５ｂ線に沿った断面図である。
【図６】本発明の役物の他の構造例を示す断面図である。
【符号の説明】
【００２４】
１  役物
３１  振り分け部材
３２  収容部材
４１  大当たり入賞口
４２  はずれ口
４３  貫通孔
５０  検知球体
６１  導電性ワイヤー
８０  電極
９０  電源
１００  検知信号生成部
１１０  音声信号生成部
【図１】
2009189699.tif 000003
【図２】
2009189699.tif 000004
【図３】
2009189699.tif 000005
【図４】
2009189699.tif 000006
【図５】
2009189699.tif 000007
【図６】
2009189699.tif 000008